(57)【要約】【課題】本発明は、パチンコ遊技機におけるステージ面において遊技球の誘導形態に変化を持たせ、且つ、始動口に対する入賞確率を向上させることのできる特典を付与できるようにすること。【解決手段】パチンコ遊技機において、前記ステージ面の山状部分に、その直下に位置する前記溝部に連通する開閉式落下孔を設け、前記開閉落下孔と、奥側の落下孔とを択一的に開閉して第１態様と第２態様とを現出するように、遊技盤に平行な横軸回りに回動する開閉部材を設けてある。【選択図】  図７
2011115653.tif 000002
【特許請求の範囲】
【請求項１】
遊技盤に図柄表示装置をセンターフレームで囲った構成を備え、該センターフレームに遊技球のセンターフレーム入り口を設け、これに連通するワープ通路を設け、該ワープ通路の出口にステージを設け、該ステージは、前後方向に遊技球１個分以上の幅を有しており、該ステージのステージ面は、ステージの両端に向けて上り傾斜し、且つ、夫々谷状部分を経て中央に向けて上り傾斜し、遊技球が該ステージ面を左右方向に往復転動できるように構成され、前記谷状部分は幅方向に向けて緩やかに手前側へ傾斜するように構成され、その中央の山状部分は、緩やかな後ろ下がり傾斜とされており、更に、ステージの奥側には、図柄表示装置の表面側への遊技球の転動を規制する壁を設け、該ステージ面の中央の山状部分の奥側に落下孔を設け、該落下孔を、前記山状部分の下方に形成した誘導通路に連通させ、該誘導通路に、手前側に傾斜した溝部を設け、該誘導通路の出口の下方に始動口を臨ませて配置してある遊技機において、
前記ステージ面の山状部分に、その直下に位置する前記溝部に連通する開閉落下孔を設け、
前記開閉落下孔と、奥側の落下孔とを開閉する第１板と第２板とを有する開閉部材を、遊技盤に平行な横軸回りに回転自在に設け、
前記第１板の表面を、前記ステージ面の山状部分の緩やかな後ろ下がり傾斜面に構成し、且つ、前記第２板を前記横軸の回転方向に角度を持たせて前記横軸に設け、
そして、前記開閉部材は、第１板がその裏面で前記開閉落下孔を閉塞し且つその表面がステージ面と略面一とされ、第２板がその裏面で奥側の前記落下孔を閉塞する第１態様と、該第１態様において遊技球が前記第２板上に至ると回転して第１板がその表面で奥側の前記落下孔を閉塞し、第２板がその裏面で前記開閉落下孔を閉塞する第２態様に切り替わり、且つ、第２態様において、遊技球が第２板の裏面に至ると反転して前記第１態様に切り替わるように構成してあることを特徴とする。
【発明の詳細な説明】
【技術分野】
【０００１】
本発明は、遊技機に関するものである。
【背景技術】
【０００２】
従来において、パチンコ機には、始動口に遊技球が入球（入賞）すると、図柄表示装置の複数の表示領域、例えば左右方向に並んだ３つの表示領域に表示される図柄が各々変動し、停止後の図柄（停止図柄）が所定の図柄で揃っていると大当りになって大入賞口が開放するというものがある。また、特定種類の図柄、例えば「７、７、７」や「３、３、３」で停止したこと等を条件に大当りになる確率（大当り確率）を変化させ、遊技者の興趣を高めるようにした機種が一般的となっている。
【０００３】
そして、上記のような始動口の形態として、遊技盤の略中央に配置された図柄標示装置を採り取り囲むようにセンターフレームが設けられ、このセンターフレームには、上部に左右一対のセンターフレーム入り口が形成され、ここに導入された遊技球を夫々下方に導くワープ通路が左右側部に形成され、これらのワープ通路の出口は、ステージ面に繋がっている。
【０００４】
このステージ面は、遊技盤の横方向に延びるもので、遊技球１個分以上の幅を持ち、遊技盤の幅方向において、中央位置が緩やかな山状部分となり、且つステージ両端に向けて上り傾斜するように波型の緩やかな傾斜を形成し、ステージの奥側には図柄標示装置の液晶側への遊技球の転動規制する壁を形成してある。
【０００５】
また、ステージ中央の山状部分は、遊技球１個分以上の幅でもって奥側に向けて下り傾斜されており、その奥側対応位置には、落下孔が形成されている。そして、このステージ中央の山状部分の下方には、前記落下孔から手前側に連通する傾斜溝部が設けられている。また、ステージ中央の両横の２つの谷状部分は、手前側に向けて傾斜されている。そして、このステージ中央の山状部分の溝部の下方には、始動口が配置されている。
こうした基本構成を備えた機種としては次の文献が挙げられる（下記特許文献１参照）。
【先行技術文献】
【特許文献】
【０００６】
【特許文献１】特開２００４−１３０１５２号公報
【発明の開示】
【発明が解決しようとする課題】
【０００７】
上述した波型のステージ面は、始動口へ遊技球を入賞させる構成として、遊技球を直ちに始動口に導いて、その命釘だけによって入賞機会を決定付けされる単純な方式とは異なり、ステージの波型に沿って往復転動させる間に上記落下孔への落下の機会を増やし、落下スピードを殺して入賞の確率を向上させると共に遊技球の誘導に面白味を持たせることができた。
【０００８】
しかしながら、上記の落下孔に誘導され、溝部を経て始動口に向けて排出されても、落下孔から落下した遊技球が傾斜した溝部（トンネル）を転動する際に加速され、始動導入賞口には未だ比較的早い速度でその命釘に衝突することになり、必ずしも入賞確率を向上させ得るものではなかった。寧ろ、釘やガラスの変形、損傷が発生していた。
また、ステージ面としても、波型上の遊技球の往復転動という遊技球の誘導形態は楽しめるが、このステージ面における変化は無く、遊技球の誘導形態として、今一つ面白味に欠けるものであった。
【０００９】
本発明は、遊技機におけるステージ面において遊技球の誘導形態に変化を持たせ、且つ、落下孔及び傾斜溝部を通過する遊技球の転動スピードを殺すことによって始動口に対する入賞確率を向上させることのできる特典を付与できるようにせんとすることを目的とする。
【課題を解決するための手段】
【００１０】
本発明に係る遊技機は、
遊技盤に図柄表示装置をセンターフレームで囲った構成を備え、該センターフレームに遊技球のセンターフレーム入り口を設け、これに連通するワープ通路を設け、該ワープ通路の出口にステージを設け、該ステージは、前後方向に遊技球１個分以上の幅を有しており、該ステージのステージ面は、ステージの両端に向けて上り傾斜し、且つ、夫々谷状部分を経て中央に向けて上り傾斜し、遊技球が該ステージ面を左右方向に往復転動できるように構成され、前記谷状部分は幅方向に向けて緩やかに手前側へ傾斜するように構成され、その中央の山状部分は、緩やかな後ろ下がり傾斜とされており、更に、ステージの奥側には、図柄表示装置の表面側への遊技球の転動を規制する壁を設け、該ステージ面の中央の山状部分の奥側に落下孔を設け、該落下孔を、前記山状部分の下方に形成した誘導通路に連通させ、該誘導通路に、手前側に傾斜した溝部を設け、該誘導通路の出口の下方に始動口を臨ませて配置してある遊技機において、
前記ステージ面の山状部分に、その直下に位置する前記溝部に連通する開閉落下孔を設け、
前記開閉落下孔と、奥側の落下孔とを開閉する第１板と第２板とを有する開閉部材を、遊技盤に平行な横軸回りに回転自在に設け、
前記第１板の表面を、前記ステージ面の山状部分の緩やかな後ろ下がり傾斜面に構成し、且つ、前記第２板を前記横軸の回転方向に角度を持たせて前記横軸に設け、
そして、前記開閉部材は、第１板がその裏面で前記開閉落下孔を閉塞し且つその表面がステージ面と略面一とされ、第２板がその裏面で奥側の前記落下孔を閉塞する第１態様と、該第１態様において遊技球が前記第２板上に至ると回転して第１板がその表面で奥側の前記落下孔を閉塞し、第２板がその裏面で前記開閉落下孔を閉塞する第２態様に切り替わり、且つ、第２態様において、遊技球が第２板の裏面に至ると反転して前記第１態様に切り替わるように構成してあることを特徴とする。
【発明の効果】
【００１１】
本発明によれば、ステージを備えた既存のパチンコ機の構成を利用し、ステージ面に開閉落下孔を設け、且つこれを開閉する開閉部材を設けるだけのシンプルな改良によって、始動口への遊技球の誘導に、通常の誘導形態と、より入賞確率が向上されたもう一つの態様を、遊技球の自重を利用して現出さることができる顕著な効果を奏するに至った。
【図面の簡単な説明】
【００１２】
【図１】パチンコ機の正面図。
【図２】パチンコ機の斜視図。
【図３】遊技盤の構成を示す正面図。
【図４】大入賞口付近を模式的に示す図。
【図５】遊技盤の構成を示す斜視図。
【図６】ステージ要部の第１形態の斜視図。
【図７】ステージ要部の一作動状態を示す斜視図。
【図８】ステージ要部の第２形態の斜視図。
【図９】ステージ要部の第１形態の縦断側面図。
【図１０】ステージ要部の一作動状態を示す縦断側面図。
【図１１】ステージ要部の第２形態の縦断側面図。
【図１２】開閉部材の位置作動状態についての模式図。
【図１３】開閉部材の一部変形例を示す斜視図。
【図１４】開閉部材の一部変形例の一作動状態を示す縦断側面図。
【図１５】開閉部材の一部変形例の一作動状態を示す縦断側面図。
【図１６】開閉部材の一部変形例の一作動状態を示す縦断側面図。
【発明を実施するための形態】
【００１３】
手段１の遊技機は、
遊技盤に図柄表示装置をセンターフレームで囲った構成を備え、該センターフレームに遊技球のセンターフレーム入り口を設け、これに連通するワープ通路を設け、該ワープ通路の出口にステージを設け、該ステージは、前後方向に遊技球１個分以上の幅を有しており、該ステージのステージ面は、ステージの両端に向けて上り傾斜し、且つ、夫々谷状部分を経て中央に向けて上り傾斜し、遊技球が該ステージ面を左右方向に往復転動できるように構成され、前記谷状部分は幅方向に向けて緩やかに手前側へ傾斜するように構成され、その中央の山状部分は、緩やかな後ろ下がり傾斜とされており、更に、ステージの奥側には、図柄表示装置の表面側への遊技球の転動を規制する壁を設け、該ステージ面の中央の山状部分の奥側に落下孔を設け、該落下孔を、前記山状部分の下方に形成した誘導通路に連通させ、該誘導通路に、手前側に傾斜した溝部を設け、該誘導通路の出口の下方に始動口を臨ませて配置してある遊技機において、
前記ステージ面の山状部分に、その直下に位置する前記溝部に連通する開閉落下孔を設け、
前記開閉落下孔と、奥側の落下孔とを開閉する第１板と第２板とを有する開閉部材を、遊技盤に平行な横軸回りに回転自在に設け、
前記第１板の表面を、前記ステージ面の山状部分の緩やかな後ろ下がり傾斜面に構成し、且つ、前記第２板を前記横軸の回転方向に角度を持たせて前記横軸に設け、
そして、前記開閉部材は、第１板がその裏面で前記開閉落下孔を閉塞し且つその表面がステージ面と略面一とされ、第２板がその裏面で奥側の前記落下孔を閉塞する第１態様と、該第１態様において遊技球が前記第２板上に至ると回転して第１板がその表面で奥側の前記落下孔を閉塞し、第２板がその裏面で前記開閉落下孔を閉塞する第２態様に切り替わり、且つ、第２態様において、遊技球が第２板の裏面に至ると反転して前記第１態様に切り替わるように構成してあることを特徴とする。
このように、奥側の落下孔とステージ面の山状部分の開閉落下孔とを開閉する第１板と第２板とを有する開閉部材を回動自在に設け、これらの第１板と第２板の表裏両面を有効利用し、且つ、遊技球の自重を利用することで、格別のスイッチ機構並びに駆動手段を設けることなく、少ない部品点数で、遊技球の始動口に対する奥側の落下孔から溝部に至る通常速度での入賞形態と、開閉落下孔から緩い速度で溝部に至る入賞確率を向上させた二つの誘導形態を択一的に採ることができて、既存のステージに対して面白味を持たせることができる。
【００１４】
手段２：手段１において、
前記第２板が、第１態様において、前記奥側の落下孔内において下り傾斜状態で前記第１板よりも下方に位置され、前記第１板が、第２態様において、前記奥側の落下孔において上り傾斜状態で前記奥側の落下孔に位置され、且つ、前記第１板に重りが設けられていることを特徴とする。
このように開閉部材を構成することで、第１態様において、奥側に落下した遊技球を、前記横軸よりも下方位置において第２板で受け止め、開閉部材を確実に回動させるモーメントを生み出すことが出来る。この際、第２板が所定の回転角だけ回転すると、第１板の重りによってその回転が進行し、逆戻りを来たすことがなく第２態様へ確実に移行させることが出来る。
そして、第２態様においては、第１板を上り傾斜状態とすることで、ステージ面上を転動してきた遊技球が奥側の落下孔に移動しようとしても、これを阻止して第２板上に戻し、これを回動させて開閉落下孔に落下し易くすることが出来ると共に、遊技球が開閉落下孔に落ちて第２板を反転させる際に、所定の回転角だけ回転させれば、後は第１板の重りによってその回転が自動的に継続され、完結されて第１態様に戻ることになる。
【００１５】
手段３：手段１又は手段２において、
前記第２態様において、第２板の裏面による開閉落下孔の開口部の閉塞を、第１態様の前記第１板の表面が形成する波型のステージ面の軌跡よりも下方において閉塞して凹部を形成し、第２形態における遊技球の転動を抑制するように構成されていることを特徴とする。
第２態様において、ステージ面を転動してきた遊技球が波型の山状部分に到達したときに、前記第２板によって形成された凹部により、該遊技球を確実に捕捉し、これを自重で回動させて開閉落下孔に落下せしめることが出来る。
【００１６】
手段４：手段１乃至手段３において、
前記第１板の重りが、第２態様において、遊技球の該第１板の裏面上への転動を第２板の裏面上に戻すよう規制するように、該第１板の裏面に突出する状態で設けられていることを特徴とする。
即ち、第１態様と第２態様との切り替えをより確実に行う為に第１板に備えた重りを利用して、第２態様において、遊技球の該第１板の裏面上への転動を第２板上に戻すように役立てることで、部材の兼用利用が出来る。
【００１７】
手段５：手段１乃至手段４において、
前記第２板の表面の端部に、第１態様において奥側の落下孔に落下した遊技球を係止し、且つ、反転回動に際して遊技球による回動力作用を長く維持させて開閉部材の反転を確実に行うための係止突起が設けられていることを特徴とする。
即ち、前記第２板の表面の端部の表面をフラットに構成する場合に比べ、遊技球が第２板を押して回動させるときに、遊技球が落下孔の壁面に接当したりして自重が分散されるのを防ぎ、第２板の係止突起でもって確実に受け止め、且つ、開閉部材の回動中も遊技球を長く係止させることができて、十分な回動を引き出すことが出来る。
【００１８】
手段６：手段５において、
前記係止突起が馬蹄形に構成されていることを特徴とする。
このように、係止突起を馬蹄形に形成することによって、遊技球を確実に捕捉し、遊技球の自重を確実に第２板に伝達することができ、且つ、開閉部材の回動中においても第２板と遊技球との係合状態を長く維持することができて、確実な回動を引き出すことが出来る。
【００１９】
手段７：手段１乃至手段６において、
前記第１板の表面に遊技球を前記奥側の落下孔に向けて案内する下り傾斜凹部が設けられていることを特徴とする。
この下り傾斜凹部によって、第１態様において、ステージ面上を転動してきた遊技球の奥側の落下孔への誘導確率を増大させることができる。
手段８：手段１乃至手段７において、
前記第１板の裏面の少なくとも両側部に、第１板の開閉落下孔の閉塞動作終了段階においてステージ面上を転動してくる遊技球の噛み込みを防止する衝突壁が垂下する状態で設けられていることを特徴とする。
この衝突壁を設けることによって、開閉部材の回動によって、第１板の開閉落下孔の閉塞動作終了段階においてステージ面上を遊技球が転動してきても、遊技球が前記衝突壁に衝突して、前記第１板の裏面と開閉落下孔との間に噛み込むのを未然に回避でき、以って、第１態様と第２態様との切り替わりに際しての球詰まり等のトラブルをより確実に防止することができる。
手段９：手段８において、
前記第１板が、平面視において逆Ｕ字型断面の形状に構成され、前記衝突壁が該第１板の逆U字型の直線部分をなす両側部に夫々設けられていることを特徴とする。
このように、前記衝突壁を、該第１板の逆Ｕ字型の直線部分に垂下させるように設ければ、多少に長く垂下させても、第１板が回動する際に、その衝突壁が開閉落下孔に引っ掛かるという問題も少なく、長く垂下させた衝突壁によって遊技球を確実に受け止め、より確実に噛み込みを防止することができる。即ち、衝突壁を第１板の端部側にまで延設すると、その衝突壁下端部の回動時の移動軌跡が大きな円弧を描いて、開閉落下孔よりも外側（手前側）になり、引っ掛かることになるためである。
【００２０】
〔第１の形態〕
以下、本発明の最良の形態を、図面に基づいて詳細に説明する。本発明では、パチンコ遊技機として説明をしているが、本発明は、パチンコ機の入賞装置の他に、球体を用いて遊技盤上で遊技を行う遊技機一般の入賞装置を対象とすることができる。なお、実施形態は、本発明の主旨から逸脱しない限り適宜設計変更可能なものである。
【００２１】
（パチンコ機正面側の構成）
図１はパチンコ機１０の正面図であり、図２はパチンコ機１０の斜視図である。
【００２２】
図１，２に示すように、パチンコ機１０は、当該パチンコ機１０の外殻を形成する外枠１１と、この外枠１１の一側部に開閉可能に支持された内枠１２とを備えている。以下に、外枠１１と内枠１２との構成を個別に説明する。
【００２３】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００２４】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００２５】
また、内枠１２は、大別すると、その最下部に取り付けられた下皿ユニット１３と、この下皿ユニット１３よりも上側の範囲で内枠１２の左側の上下方向の開閉軸線を軸心にして開閉自在に取り付けられた前面枠セット１４と、図示しない樹脂ベースと、この樹脂ベースの後側に取り付けられる後述の遊技盤３０とを備えている。これらの各構成を以下に詳細に説明する。
【００２６】
上記下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。上記音出力口２４は、下皿ユニット１３内あるいは背面に設けられたスピーカからの音を出力するための出力口である。また、灰皿２２は下皿１５の左方に設けられている。灰皿２２は左右方向（水平方向）の軸線を軸心にして回動（例えば前方側に向けて前回り）するように、その右側が下皿１５に片待ち支持されている。
【００２７】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿奥方の前面パネル部分とを難燃性のＡＢＳ樹脂にて成形している。このため、この部分は燃えにくくなっている。
【００２８】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。従来のパチンコ機では前面枠セットの下方に内枠に対し開閉可能な前飾り枠が設けられ、該前飾り枠に上皿が設けられていたのであるが、本実施の形態では前飾り枠が省略され、前面枠セット１４に対し直接的に上皿１９が設けられている。この上皿１９も下皿１５と同様、表面層が難燃性のＡＢＳ樹脂にて成形される構成となっている。また、上皿１９の左下方には、後に言及する装飾図柄表示装置４２の背景を変える等の操作を遊技者が行うための演出ボタン７９が設けられている。
【００２９】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００３０】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３１】
次に、図３〜図５を用いて遊技盤３０の構成を説明する。図３は遊技盤３０の構成を示す正面図であり、図４は大入賞口６１付近を模式的に示す図であり、図５は遊技盤３０の構成を示す斜視図である。遊技盤３０は、一般入賞口３１、可変入賞装置３２、上始動口３３ａと下始動口３３ｂ（作動チャッカ３３ｂで構成）とから成る第１の始動口３３、第２の始動口３４（スルーゲートで構成）、特別図柄表示装置３８、普通図柄表示装置４１、装飾図柄表示装置４２等を備えている。これらの一般入賞口３１、可変入賞装置３２、第１の始動口３３、第２の始動口３４、可変表示装置ユニット３５等は、遊技盤３０における、ルータ加工によって形成された各貫通穴にそれぞれに配設され、遊技盤３０前面側から木ネジ等により取り付けられている。また、下始動口３３ｂの入り口には、図５に示すように一対の開閉羽根６０が設けられており、遊技球を案内する開放位置と、下始動口３３ｂ内に遊技球が入りにくくなる閉塞位置を採りうる。開閉羽根６０は、遊技盤３０の裏面側に配設されたソレノイドＳＬ１によって駆動される。また、下始動口３３ｂの下方には、大入賞口６１が配置されている。大入賞口６１は常時はシャッタ６２が閉塞されており、特別遊技状態となると開放される。シャッタ６２は遊技盤３０の裏面側に配設されたソレノイドＳＬ２によって駆動される。
前述の一般入賞口３１、可変入賞装置３２および第１の始動口３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００３２】
上記特別図柄表示装置は、第１の始動口３３への入賞をトリガとして識別情報としての特別図柄を変動表示し、上記装飾図柄表示装置は特別図柄の変動表示に対応した装飾図柄を変動表示し、上記普通図柄表示装置は第２の始動口３４の通過をトリガとして普通図柄を変動表示する。
【００３３】
上記特別図柄表示装置は２色のＬＥＤで構成されており、後述する主制御装置により表示内容が制御される。各ＬＥＤは、例えば赤色と青色との可変表示がなされるようになっている。
【００３４】
上記装飾図柄表示装置４２は液晶表示装置として構成されており、後述する表示制御装置により表示内容が制御される。装飾図柄表示装置４２には、例えば上、中、及び下の３箇所に識別情報としての図柄が表示される。これら図柄がスクロールされて装飾図柄表示装置４２に可変表示されるようになっている。なお本実施の形態では、装飾図柄表示装置（液晶表示装置）４２は例えば１０インチサイズの大型の液晶ディスプレイを備えている。
【００３５】
上記普通図柄表示装置４１は、普通図柄用のランプ４１ａ，４１ｂを備えている。この実施例では、普通図柄用のランプ４１ａは、例えば、装飾図柄表示装置４２の表示面の上方に設けられ、その外観形状は「○」形状となっている一方、普通図柄用のランプ４１ｂは、ランプ４１ａの右上側に隣接して設けられ、その外観形状は「×」形状となっている。普通図柄表示装置４１は、遊技球が第２の始動口３４を通過する毎に例えばランプ４１ａ、４１ｂによる表示図柄（普通図柄）が変動し、具体的には、ランプ４１ａ，４１ｂが交互に光り、ランプ４１ａで停止した場合に第１の始動口３３の下始動口３３ｂが所定時間だけ作動状態となる（開放される）よう構成されている。遊技球が第２の始動口３１を通過した回数は最大４回まで保留され、その保留回数が保留ランプ８００ａ，８０１ａにて点灯表示されるようになっている。なお、ランプ４１ａ，４１ｂは、装飾図柄表示装置４２の一部で変動表示される複数個の表示部としても良い。
【００３６】
上記可変入賞装置３２は、通常は遊技球が入賞できない又は入賞し難い閉状態になっており、大当たりの際に遊技球が入賞しやすい開状態と通常の閉状態とに繰り返し作動されるようになっている。より詳しくは、特別図柄表示装置３８が特定の表示態様となったこと（装飾図柄表示装置の停止後の確定図柄が予め設定した特定の図柄の組合せとなったこと）を条件に特別遊技状態が発生する。そして、可変入賞装置３２の大入賞口６１が所定の開放状態となり、遊技球が入賞しやすい状態（大当たり状態）になるよう構成されている。具体的には、所定時間（例えば３０秒）の経過又は所定個数（例えば９個）の入賞を１ラウンドとして、可変入賞装置３２の大入賞口６１が所定回数繰り返し開放される。遊技球が第１の始動口３３を通過した回数は最大４回まで保留され、その保留回数が保留ランプにて点灯表示されるようになっている。なお、保留ランプは、装飾図柄表示装置の一部で変動表示される構成等であっても良い。
【００３７】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３８】
内レール５１の先端部分（図３及び図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図３及び図５の右上部：外レール５２の先端部に相当する部位）に返しゴム５４が取着されている。従って、所定以上の勢いで発射された遊技球は、返しゴム５４に当たって跳ね返されるようになっている。
【００３９】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００４０】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球を図示しないファール球通路に導くための役目をなす。
【００４１】
尚、遊技領域は、レールユニット５０の内周部（内外レール）により略円形状に区画形成されており、特に本実施の形態では、遊技盤３０の遊技盤上に区画される遊技領城が従来よりもはるかに大きく構成されている。
【００４２】
（センターフレームと開閉部材の構成）
ここでは、第１の始動口３３に関わる基本形態として、図３、図５に示すように、遊技盤の略中央に配置された図柄標示装置を採り取り囲むように、樹脂製系のセンターフレーム２０１が設けられ、このセンターフレーム２０１には、上部乃至側部に左右一対のセンターフレーム入り口２０２，２０２が形成され、ここに導入された遊技球を夫々下方に導くワープ通路６４０，６４０が左右側部に夫々形成され、これらのワープ通路６４０，６４０の出口６４０ａ，６４０ａは、ステージ面２０３ａに繋がっている。
【００４３】
更に、図６から図１２に基づいて説明すると、このステージ面２０３ａは、遊技盤の横方向に延びるもので、遊技球１個分以上の幅を持ち、遊技盤の幅方向において、中央位置が緩やかな山状部分となり、且つ、夫々谷状部分を介してステージ２０３の両端に向けて上り傾斜するように波型の緩やかな傾斜を形成し、ステージ２０３の奥側には図柄標示装置４２の液晶側、即ち表面側 への遊技球の転動を規制する壁２０４を形成してある。前記ステージ２０３も樹脂成型によって構成されている。このように、ステージ面２０３aは、遊技球がその上を左右方向に往復転動できる構成とされている。
【００４４】
また、ステージ２０３の中央の山状部分は、遊技球１個分以上の幅でもって奥側に向けて下り傾斜されており、その奥側対応位置には、落下孔２０５が形成されている。そして、このステージ２０３の中央の山状部分の下方には、前記落下孔２０５から手前側に連通するL字型（縦断側面視）のトンネル状の誘導通路２０６aが手前側に傾斜するように形成されており、該誘導通路２０６aの底部には手前側に傾斜する傾斜溝部２０６が設けられている。また、ステージ２０３の中央の両横の２つの谷状部分２０３ｂ，２０３ｂは、手前側に向けて、手前側が掘り込みの深い底辺となる略三角形の凹部形状で、傾斜されている。そして、このステージ中央の山状部分下方の誘導通路２０６aの溝部２０６の出口下方には、上述した始動口３３が配置されている。
【００４５】
そして、前記ステージ面２０３ａの山状部分に、その直下に位置する誘導通路２０６aの前記溝部２０６に連通する開閉式落下孔２０７を設けてある。この開閉落下孔２０７と、奥側の落下孔２０５とを開閉して第１態様と第２態様とを現出するように、遊技盤に平行な横軸２０８回りに回動する開閉部材２０９を設けてある。
この開閉部材２０９は、前記ステージ２０３と同様に樹脂成型で構成されており、第１態様において、前記開閉落下孔２０７を、その裏面を用いて上側から閉塞する第１板２０９ａと、前記第１板２０９ａに対して前記横軸２０８の回転方向に角度を持たせて横軸２０８に設けられ、第１態様において奥側の落下孔２０５内に位置されてその裏面で閉塞させる第２板２０９ｂとからなり、且つ、第２板２０９ｂは、第２態様において前記開閉落下孔２０７を、その裏面を用いて下側から閉塞するように構成されている。これらの第１板２０９ａと第２板２０９ｂは、共に、ここでは、平面視が前記横軸２０８を基端として逆U字型に構成されている。そして、前記第１板２０９ａの表面は、前記ステージ面２０３aの山状部分の緩やかな後ろ下がり傾斜面に構成され、該ステージ面２０３aのスムースな面一（凹凸のない）の波型の連続面を構成している。
【００４６】
尚、前記開閉落下孔２０７を遊技球の直径に比べて非常に大きな径とし、第１板２０９ａを大型に構成すれば、第２態様において遊技球の進入落下を容易なものとすることになるが、前記開閉落下孔２０７を遊技球の進入落下を許容する程度の直径に設定すれば、即ち、開閉落下孔２０７の開口の大きさを適宜に選定すれば、第２態様において遊技球はステージ面２０３aの山状部分上を１回又は２回往復して失速してから落下させるという状態を生み出すことができて、この第２態様における遊技球の前記開閉落下孔２０７に対する進入落下の程度を調整することが可能である。
【００４７】
更に、開閉部材２０９は、第１態様において、前記第２板２０９ｂが奥側の落下孔２０５の内部に位置して遊技球の自重によって回動するのを許容し、且つ、第２態様の前記開閉部材２０９の回転時に前記第２板２０９ｂの裏面が開閉落下孔２０７を閉塞した状態において、遊技球が該第２板２０９ｂ上に至った際に該第２板２０９ｂの回動を許容し且つ前記第１板２０９ａの裏面による開閉落下孔２０７の閉塞を確保するように構成されている。
【００４８】
ここでは、遊技球の自重が前記第１板２０９ａと第２板２０９ｂに作用し、開閉部材２０９を回転させる作用をより確実なものとする手段として、記第１板２０９ａの裏面に重り２１０を設けている。しかし、第１板２０９ａを重く構成するのに、別途重り２１０を設けるのではなく、例えば、第２板２０９ｂを軽量の合成樹脂で成型し、第１板２０９ａを金属製として重量を増加させるようにしてもよく、また、共に同じ素材の合成樹脂で成型しても、その厚み、大きさに差異を持たせて、実質的に第１板２０９ａの方を重く構成するようにしてもよいものである。
【００４９】
また、この重り２１０は、図示のごとく、前記横軸２０８と平行な軸心を持つ円筒状の形状に構成され、第２態様において、遊技球の該第１板２０９ａの裏面上への転動を第２板の裏面上に戻す役目を果たすように、第１板２０９ａの裏面の先端側近くで、該第１板の裏面に突出する状態で設けられている。そして、この重り２１０の付け根部から、前記横軸２０８側に向けて上り勾配の傾斜板２０１aが設けられ、第２態様時に、遊技球が第１板２０９ａの裏面の先端側へ移動するのを防止し、第２板２０９b側に戻すように構成してある。また、この遊技球の戻し作用が確実に行われ、且つ、遊技球が重り２１０と横軸２０８との間に滞留するのを確実に防止するべく、前記横軸２０８と重り２１０の設置位置との間隔が、遊技球１個分の直径寸法よりも小さく設定されている。尚、前記傾斜板２０１aとしては、ここでは１枚板を用いているが、これに代えて、傾斜板２０１aと同様の勾配を有する２本或いは３本といったレール状体を用いてもよい。
【００５０】
また、前記第２板２０９ｂは、第１態様において、前記奥側の落下孔２０５内において下り傾斜状態で前記第１板２０９ａよりも下方に位置され、前記第１板２０９が、第２態様において、前記奥側の落下孔２０５において上り傾斜状態で前記奥側の落下孔２０５に位置されるように構成されている。更に、前記第２態様において、第２板２０９ｂの裏面による開閉落下孔２０７の開口部の下側からの閉塞を、第１態様の前記第１板２０９ａの表面が形成する波型のステージ面の軌跡よりも下方において閉塞して凹部２１４を形成し、第２形態における遊技球の転動を抑制するように構成されている。
【００５１】
ここで、前記開閉落下孔２０７の構造について言及すると、図９〜図１１に示されているように、該開閉落下孔２０７の開口の上面側は、上側から下側に向けて窄まる漏斗状のテーパー面２０７aに形成され、且つ、そのテーパー面２０７aの下側に続いて前記第１板を受け止める第１段部２０７bが形成れており、この第１段部２０７bの裏面には、第２態様において第２板を受け止めるための第２段部２０７cが形成されている。 
このようなテーパー面２０７aの形成は、遊技球の落下を下方の誘導通路２０６aの幅方向中央位置に落下させて、始動口３３に対する入賞効率を高めるためのものであり、上述したように開閉落下孔２０７を比較的大径のものとした場合では、より一層その効果を発揮することができる。従って、同じ目的で、前記第２段部２０７cについても、これを前記テーパー面２０７aに連続した下側に窄まる漏斗状のものとすることができる。
【００５２】
また、前記第２板２０９ｂの端部の表面に、第１形態において奥側の落下孔２０５に落下した遊技球を係止し、且つ、反転回動に際して遊技球による回動力作用を長く維持させて開閉部材２０９の反転を確実に行うための係止突起２１１が設けられている。そして、この係止突起２１１は、ここでは、馬蹄形に構成され、第２板２０９bの端部の円弧に沿うように敷設されている。
このように、係止突起２１１を馬蹄形に形成することによって、その馬蹄形の円弧内側において遊技球を確実に捕捉し、遊技球の自重を確実に第２板２０９bに伝達することができ、且つ、開閉部材２０９の回動中においても第２板２０９bと遊技球との係合状態を長く維持することができて、確実な回動を引き出すことが出来る。また、この係止突起２１１は、第２態様にいて、開閉落下孔２０７を下側から閉塞する際に、その開口部に接当して回動を停止させるストッパーの役目も兼ねており、前記重り２１０による回転モーメントによる開閉部材２０９の回動を所定位置でストップさせる。
【００５３】
また、前記第１板２０９ａに，遊技球を前記奥側の落下孔２０５に向けて案内する下り傾斜凹部２１２が設けられている。この傾斜凹部２１２は、前記第１板２０９ａの端部側が細く、且つ浅い掘り込みで、前記横軸２０８の側に向けて末広がりで深くなる掘り込みとなる平面視で略銃弾形状に構成されている。そして、この下り傾斜凹部２１２への遊技球の落ち込みによって、第１態様において、ステージ面２０３ａ上を転動してきた遊技球の奥側の落下孔２０５へ向けた転動の誘導確率を更に増大させる（ステージ面２０３ａの奥側への傾斜と合わせて）。
更に、前記開閉落下孔２０７に対応するステージ面２０３ａの山状部分の手前側に、ステージ面２０３ａよりも上方に延びたガイド板２１３が設けられている．このガイド板２１３を設けることによって、第２態様におけるステージ面２０３ａでの遊技球の転動奇跡をステージ面２０３ａの幅方向中間位置に誘導することができて、第２板２０９ｂの閉塞により形成された前記凹部２１４上に遊技球を誘導できる。これは、第１態様においても同様であり、遊技球をステージ面２０３ａの幅方向中間位置に誘導することができて、この第１板２０９ａの上面に形成された下り傾斜凹部２１２へ遊技球を誘導できる。
【００５４】
（第１態様と第２態様とに切り替える開閉部材の作動について）
作用について、図６から図１１を参照して説明すると、上述のワープ通路６４０を経てステージ面２０３ａに至った遊技球は、図６及び図９に示す第１態様の状態にある開閉部材２０９の上面、即ち、開閉部材２０９の第１板２０９ａによって開閉落下孔２０７を閉塞している状態の開閉部材２０９上面に至って速度を失うと、その上面の下り傾斜凹部２１２に沿って奥側へと誘導され、奥側の落下孔２０５に入る。
【００５５】
この落下孔２０５には、開閉部材２０９の第２板２０９ｂが、開閉部材の回動の横軸２０８よりも下方に位置するように下り傾斜状態で位置されており、この上に落ち込んだ遊技球は、図７及び図１０に示すように、その自重によって開閉部材２０９の第２板の表面に受け止められて、これを回動させることになる。このように、遊技球の運動エネルギーは、開閉部材２０９の回動に費やされ、且つ、開閉部材の回動という円弧上の移動軌跡を辿るように方向が規制されるために、落下孔２０５に突入した遊技球は、従来の如く垂直落下による速いスピードで傾斜溝部２０６の底部に衝突することがなく、比較的緩いスピードでこの溝部２０６の底に到達するので、この底部の破損を未然に回避することが出来る。
この結果、開閉部材２０９は回動し、図８及び図１１に示すように、その第２板２０９ｂが、その裏面を用いて下側から開閉落下孔２０７を閉塞し、第１板２０９ａは，上り傾斜状態で奥側の落下孔２０５に位置し、該落下孔２０７をその表面で閉塞する。この状態は、格別の外力が作用しない限り、第１板２０９ａの裏面に設けた重り２１０のモーメントによって維持される。この状態が第２態様の状態である。即ち、第１態様から第２態様へ変化する場合に第２板２０９ｂと遊技球との接触が解除される時点で第１板２０９ａは落下孔の上に位置しており、更に、第１板２０９ａは第２板２０９ｂよりも重くなっている（第１板のほうが大きい、又は第１板に重り２１０が付いている）ので、遊技球により途中まで回動した後は重力により第２態様となる位置まで回動するのである。
【００５６】
上記第２態様の状態において、ステージ面２０３上を遊技球が転動して来て、第２板２０９ｂの裏面により下側から閉塞されている開閉落下孔２０７に至ると、第２板２０９ｂの裏面による開閉落下孔２０７の開口部の閉塞が、第１態様の前記第１板２０９ａの表面が形成する波型のステージ面２０３ａの軌跡よりも下方において閉塞して凹部を形成しているので、遊技球の転動を抑制し、捕捉し易いのであり、この遊技球の自重を第２板２０９ｂに確実に作用させて、開閉部材２０９を回動させて開閉落下孔２０７に落下せしめることが出来る。
【００５７】
従って、第２態様から第１態様へ変化する場合に、遊技球の第２板２０９ｂとの接触が解除される時点で、第１板２０９aは開閉落下孔２０７の上に位置しており、さらに、第１板２０９aは第２板２０９ｂよりも重くなっている（第１板のほうが大きい/第１板に重り２１０が付いている）ので、遊技球により途中まで回動した後は重力により第１態様となる位置まで回動するのである。
【００５８】
このように、遊技球は、第２板２０９ｂを介して開閉部材２０９を回動させるという運動エネルギーの消費の下で、ステージ面２０３ａの直下の傾斜溝部２０６に緩いスピードで落下することになり、第１態様時と同様に、やはり傾斜溝部２０６の破損を未然に回避出来るのみならず、緩い速度で傾斜溝部２０６の終端近傍（出口近傍）に落下してから始動口３３に向けて外方に排出されることになるので、奥側の落下孔２０５に落下した場合に比べて更に緩い速度で排出されることとなり、始動口３３の命釘に対する当たりも緩やかとなって入賞確率がより改善される。
【００５９】
このような第２態様における遊技球の始動口３３に対する入賞率の向上は、例えば、前記第１板２０９a、第２板２０９ｂを長く、大きく構成し、これに合わせて開閉落下孔２０７も大きく構成することによって、遊技球の第２板２０９ｂを押しのけて開閉落下孔２０７に落ち込む時の第２板２０９ｂの回動傾斜の角度を小さなものとすることが可能であり、こうした場合には、遊技球の開閉落下孔２０７への落下を許容はするが、第２板２０９ｂが回動を続けて第１態様に復帰するとは限らず、遊技球の落下を許す少しの回動の後に、再び第２態様に戻ってしまうという現象が生じる。その結果、入賞確率の高い第２態様の状態が繰り返し行われることも有り得て、このようなバリエーションも実施することが可能である。
【００６０】
また、第１態様時における奥側の落下孔２０５から誘導通路２０６aの全体を経由して始動口３３にいたる所要時間と、第２態様時における開閉落下孔２０７から誘導通路２０６aの途中に落下して始動口３３に至る所要時間が異なることになり、この結果として、
従来においては奥側の落下孔２０５から始動口３３に至る所要時間が一定であることを利用し、入賞確率を高めるために遊技球の遊技盤への打ち込みタイミングをハンドル操作で調節するといった所謂止め打ちの手法が採られることが多々あったが、本発明のように始動口３３に対する入賞に要する２種類の所要時間が予測不能の状態で現出されることによって、こうしたタイミングの調節が実質的に不可能となり、止め打ちを未然に回避させることが出来るといった利点も期待できる。
【００６１】
次に、開閉部材の構造と重りとの構成関係について、その回動動作の力学的関係を図１２の模式図を参考に、次式を導いたので参考に供する。
図１２において、開閉部材２０９の第１板２０９bが開閉落下孔２０７を閉塞した状態から、開閉部材２０９が確実にＡ方向に回動するには、遊技球ＰＢが開閉落下孔２０７の先端（横軸２０８から最も遠い部位）を通過する際に、以下の数１の関係を満たす必要がある。尚、下記式においては開閉部材２０９の質量は無視しており、且つ遊技球は垂直に落下するものとする。また、θは垂線と第２板２０９ｂとの成す角度、Ｌ１は開閉落下孔２０７の長さ、Ｌ２は第２板２０９ｂの長さ、ｒは遊技球ＰＢの半径である。
【００６２】
【数１】
2011115653.tif 000003
但し、Ｌ１≒Ｌ２の関係にある。
【００６３】
（開閉部材の変形例）
図１３から図１６に基づいて説明する。但し、先の実施例の説明と重複する箇所については、ここではその詳細を省略している。
この変形例では、前記第１板２０９ａの裏面の両側部に、第１板２０９ａの開閉落下孔２０７の閉塞動作終了段階（第２態様から第１態様への変化時）において、ステージ面２０３ａを転動してくる遊技球の噛み込みを防止する衝突壁２１５が、垂下する状態で設けられている（第２態様の反転開始時には、上向きに立設された状態となる）。
そして、前記第１板２０９ａが、平面視において逆Ｕ字型の形状に構成され、前記衝突壁２１５が該第１板２０９ａの逆Ｕ字型の直線部分をなす両側部２０９ｃ，２０９ｃに、遊技球の直径よりも狭い間隔で夫々設けられている。
【００６４】
この衝突壁２１５を設けることによって、開閉部材２０９の回動によって、第１板２０９ａの開閉落下孔２０７の閉塞動作終了段階（第２態様から第１態様への変化時）において、ステージ面２０３ａ上を遊技球が転動してきても、遊技球は、前記衝突壁２１５に衝突することとなり、遊技球が前記第１板２０９ａの裏面と開閉落下孔２０７の開口周縁部との間に噛み込まれるのを未然に回避できる確率が非常に高くなり、以って、第１態様と第２態様との切り替わりに際して、開閉落下孔２０７の開口周縁部での球詰まり、トラブルをより確実に防止することができる。
【００６５】
また、前記衝突壁２１５を、該第１板２０９ａの逆Ｕ字型の直線部分２０９ｃ，２０９ｃに垂下させるように設ければ、多少に長く垂下させても、第１板２０９ａが回動する際に、その垂下端部の移動軌跡は、前記横軸２０８の中心から大きく変化することがなく、従って、その衝突壁２０９ｃ，２０９ｃが開閉落下孔２０７に引っ掛かるという問題も少なく、長く垂下させた衝突壁２１５によって遊技球を確実に受け止め、より確実に噛み込みを防止することが出来る。即ち、前記衝突壁２１５を、該第１板２０９ａの逆Ｕ字型の先端側にまで延設すると、前記横軸２０８を回動軸芯として回動したときに、その先端側において長く垂下して設けた衝突壁２１５の最下端部の回動軌跡は大きな円を描くことになって、前記開閉落下孔２１４からはみ出し、その結果、前記開閉落下孔２１４に引っ掛かり、上方に抜け出なくなるため好ましくないのである。勿論、この衝突壁２１５の垂下を短くすれば、かかる問題は発生しないが、遊技球に対する衝突が十分に得られず、遊技球が第１板の下側に入り込むのを排除する作用が少なくなる。
【００６６】
尚、前記衝突壁２１５の形状として、該第１板２０９ａの逆Ｕ字型の直線部分をなす両側部２０９ｃ，２０９ｃに分離した形状でなく、連続させた、例えば、馬蹄形を成す形状に構成しても差し支えない。
また、前記衝突壁２１５の形状として、前記両側部２０９ｃ，２０９ｃに相当する側壁を有する船底形状の立体的なものを採用し、遊技球が衝突したときにその曲面の側壁によって確実に側方に排斥するか、勢いのある運動エネルギーの大きな遊技球が衝突したときには、この船底形状の衝突壁２１５の曲面に作用して、その第１板２０９aを押し上げてその下を通過させ、以って、この第１板２０９aと開閉落下孔２０７との間に遊技球が挟まれて詰まりを来たすことがないようにしてもよい。
【産業上の利用可能性】
【００６７】
本発明は、遊技機として波型のステージを備え、このステージの山状部の奥側に落下孔が備えられたたるものであれば、適宜に応用できる広い応用範囲の発明である。
【符号の説明】
【００６８】
２０１：センターフレーム
２０２：センターフレーム入り口
２０３：ステージ
２０３ａ：ステージ面
２０３ｂ：谷状部分
２０３ｃ：
２０４：壁
２０５：奥側の落下孔
２０６：傾斜溝部
２０７：開閉落下孔
２０８：横軸
２０９：開閉部材
２０９ａ：第１板
２０９ｂ：第２板
２１０：重り
２１１：係合突起
２１２：下り傾斜凹部
２１３：ガイド板
２１４：凹部（第２板２０９ｂによる閉塞時形成）
【図１】
2011115653.tif 000004
【図２】
2011115653.tif 000005
【図３】
2011115653.tif 000006
【図４】
2011115653.tif 000007
【図５】
2011115653.tif 000008
【図６】
2011115653.tif 000009
【図７】
2011115653.tif 000010
【図８】
2011115653.tif 000011
【図９】
2011115653.tif 000012
【図１０】
2011115653.tif 000013
【図１１】
2011115653.tif 000014
【図１２】
2011115653.tif 000015
【図１３】
2011115653.tif 000016
【図１４】
2011115653.tif 000017
【図１５】
2011115653.tif 000018
【図１６】
2011115653.tif 000019
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
傾斜面によって山状部分及び谷状部分が形成され遊技球が転動可能なステージを備えた遊技機において、
前記ステージは、その山状部分に形成され遊技球が入球可能な開閉落下孔と、その開閉落下孔への遊技球の入球を規制する開閉部材とを備え、
該開閉部材は、遊技球の自重を受けることによる下方への変位が規制された態様であって遊技球を前記開閉落下孔内に導くことなく通過させる第１態様と、遊技球の自重を受けた場合に下方に向けて変位する態様であって遊技球を前記開閉落下孔内に導く第２態様とに変化するものであることを特徴とする遊技機。